(57)【特許請求の範囲】
【請求項１】
パチンコ球が発射される遊技盤と、
前記遊技盤に設けられ、パチンコ球が入賞することが可能な特別図柄始動口と、
前記遊技盤に設けられ、パチンコ球が入賞することが可能な開放状態およびパチンコ球が入賞することが不能な閉鎖状態相互間で切換えられる大入賞口と、
パチンコ球が前記特別図柄始動口に入賞した場合に第１の図柄と第２の図柄と第３の図柄のそれぞれを変動状態および変動停止状態で順に表示する変動表示の映像が表示されるものであって、変動表示の映像で第１の図柄と第２の図柄と第３の図柄が当該順序で一つずつ変動停止状態になると共に第１の図柄と第２の図柄と第３の図柄が全て変動停止した状態で次の１）大当りの組合せと２）外れリーチの組合せと３）外れの組合せのいずれかになる図柄表示装置と、
１）第１の図柄と第２の図柄と第３の図柄が相互に同一な大当りの組合せ
２）第１の図柄および第２の図柄が相互に同一で第３の図柄が第１の図柄および第２の図柄のそれぞれと異なる外れリーチの組合せ
３）第１の図柄および第２の図柄が相互に異なる外れの組合せ
パチンコ球が前記特別図柄始動口に入賞した場合に第１の図柄と第２の図柄と第３の図柄を大当りの組合せにする大当りと外れリーチの組合せにする外れリーチと外れの組合せにする外れのいずれであるかを判定するものであって、確率変動の状態である場合には大当りであると予め決められた高確率で判定すると共に確率変動の状態でない場合には大当りであると当該高確率に比べて低い通常確率で判定する手段と、
大当りであると判定された場合に確率変動の状態にするか否かを判定する手段と、
第１の図柄と第２の図柄と第３の図柄を大当りであると判定された場合に大当りの組合せに設定し、外れリーチであると判定された場合に外れリーチの組合せに設定し、外れであると判定された場合に外れの組合せに設定する手段と、
前記図柄表示装置に変動表示の映像を表示する場合の演出内容を決めるための複数のリーチパターンからなるリーチテーブルとして、次の１１）第１のリーチテーブルと１２）第２のリーチテーブルと１３）第３のリーチテーブルと１４）第４のリーチテーブルと１５）第５のリーチテーブルのそれぞれが予め記録されたＲＯＭと、  
１１）変動表示の映像で第１の図柄と第２の図柄と第３の図柄の組合せが決まる前に特定の絵柄を第１の色彩で表示するための第１のリーチパターンを含むと共に特定の絵柄を第１の色彩とは異なる第２の色彩で表示するための第２のリーチパターンを含まずに特定の絵柄を第１の色彩および第２の色彩のいずれとも異なる第３の色彩で表示するための第３のリーチパターンを含まない複数のリーチパターンからなる第１のリーチテーブル
１２）第２のリーチパターンを含むと共に第１のリーチパターンおよび第３のリーチパターンのそれぞれを含まない複数のリーチパターンからなる第２のリーチテーブル
１３）第３のリーチパターンを含むと共に第１のリーチパターンおよび第２のリーチパターンのそれぞれを含まない複数のリーチパターンからなる第３のリーチテーブル
１４）第１のリーチパターンを含むと共に第２のリーチパターンおよび第３のリーチパターンのそれぞれを含まない複数のリーチパターンからなるものであって、第１のリーチパターンの選択確率が第１のリーチテーブルでの第１のリーチパターンの選択確率とは異なる値に設定された第４のリーチテーブル
１５）第２のリーチパターンを含むと共に第１のリーチパターンおよび第３のリーチパターンのそれぞれを含まない複数のリーチパターンからなるものであって、第２のリーチパターンの選択確率が第２のリーチテーブルでの第２のリーチパターンの選択確率とは異なる値に設定された第５のリーチテーブル
大当りであると判定された場合および外れリーチであると判定された場合のそれぞれに前記ＲＯＭの第１のリーチテーブルと第２のリーチテーブルと第３のリーチテーブルと第４のリーチテーブルと第５のリーチテーブルのうちから一つのリーチテーブルを選択し、当該リーチテーブルの選択結果から一つのリーチパターンを選択する選択手段と、
一つのリーチパターンとして第１のリーチパターンが選択された場合と第２のリーチパターンが選択された場合と第３のリーチパターンが選択された場合のそれぞれにカウンタの値を予め決められた一定の値だけ更新するものであって、大当りであると判定された場合には一つのリーチパターンが選択された後にカウンタの値を予め決められた初期値に設定する手段と、
パチンコ球が前記特別図柄始動口に入賞した場合に前記図柄表示装置に変動表示の映像を表示するものであって、大当りであると判定された場合には変動表示の映像をリーチパターンの選択結果に応じた演出内容で表示すると共に第１の図柄と第２の図柄と第３の図柄を変動停止状態で大当りの組合せとし、外れリーチであると判定された場合には変動表示の映像をリーチパターンの選択結果に応じた演出内容で表示すると共に第１の図柄と第２の図柄と第３の図柄を変動停止状態で外れリーチの組合せとし、外れであると判定された場合には第１の図柄と第２の図柄と第３の図柄を変動停止状態で外れの組合せとする手段と、
大当りであると判定された場合には前記図柄表示装置に変動表示の映像で第１の図柄と第２の図柄と第３の図柄が大当りの組合せで表示された後に前記大入賞口を開放状態にする大当り動作を行う手段と、
大当り動作が終了した場合に確率変動の状態にすると判定されたか否かを判断するものであって、確率変動の状態にすると判定されたと判断した場合に確率変動の状態にする手段を備え、
前記選択手段は、大当りであると判定された場合および外れリーチであると判定された場合のそれぞれにはカウンタの値が予め決められた限度の値に到達しているか否かを判断し、当該判断結果に応じて次の２１）処理〜２５）処理のいずれかを行うことで一つのリーチパターンを選択することを特徴とする遊技機。
２１）カウンタの値が限度の値に到達していないと判断した場合には外れリーチであると判定された場合に前記ＲＯＭから第１のリーチテーブルを選択し、第１のリーチテーブルから一つのリーチパターンを選択する処理
２２）カウンタの値が限度の値に到達していないと判断した場合には大当りであって確率変動の状態にすると判定された場合および確率変動の状態にしないと判定された場合のそれぞれに前記ＲＯＭから第２のリーチテーブルを選択し、第２のリーチテーブルから一つのリーチパターンを選択する処理
２３）カウンタの値が限度の値に到達していると判断した場合には外れリーチであると判定された場合に前記ＲＯＭから第３のリーチテーブルを選択し、第３のリーチテーブルから一つのリーチパターンを選択する処理
２４）カウンタの値が限度の値に到達していると判断した場合には大当りであって確率変動の状態にしないと判定された場合に前記ＲＯＭから第４のリーチテーブルを選択し、第４のリーチテーブルから一つのリーチパターンを選択する処理
２５）カウンタの値が限度の値に到達していると判断した場合には大当りであって確率変動の状態にすると判定された場合に前記ＲＯＭから第５のリーチテーブルを選択し、第５のリーチテーブルから一つのリーチパターンを選択する処理
【請求項２】
前記ＲＯＭには、
前記１２）第２のリーチテーブルに換えて「１２）第１のリーチパターンおよび第２のリーチパターンのそれぞれを含むと共に第３のリーチパターンを含まない複数のリーチパターンからなる第２のリーチテーブル」が予め記録され、
前記１４）第４のリーチテーブルに換えて「１４）第１のリーチパターンおよび第３のリーチパターンのそれぞれを含むと共に第２のリーチパターンを含まない複数のリーチパターンからなるものであって、第１のリーチパターンの選択確率が第１のリーチテーブルでの第１のリーチパターンの選択確率とは異なる値に設定された第４のリーチテーブル」が予め記録され、
前記１５）第５のリーチテーブルに換えて「１５）第２のリーチパターンおよび第３のリーチパターンのそれぞれを含むと共に第１のリーチパターンを含まない複数のリーチパターンからなるものであって、第２のリーチパターンの選択確率が第２のリーチテーブルでの第２のリーチパターンの選択確率とは異なる値に設定された第５のリーチテーブル」が予め記録されていることを特徴とする請求項１に記載の遊技機。
【発明の詳細な説明】
【０００１】
【発明の属する技術分野】
本発明は、図柄表示装置にリーチパターンを表示することに基づいて複数の図柄の組合わせが一時的に決まる様子を演出する構成の遊技機に関する。
【０００２】
【発明が解決しようとする課題】
上記遊技機にはリーチパターンに大当りの信頼度が設定されたものがある。この構成の場合、低信頼度のリーチパターンは高頻度で出現し、高信頼度のリーチパターンは低頻度で出現するので、リーチパターンに基づいて大当りの予測が簡単にできてしまう。このため、大当りの発生に意外性を感じ難いので、大当りを獲得した大きな喜びが得られない。
本発明は上記事情に鑑みてなされたものであり、その目的は、大当りを獲得したときの喜びを高めることができる遊技機を提供することにある。
【０００３】
【課題を解決するための手段】
請求項１記載の遊技機は、パチンコ球が発射される遊技盤と、前記遊技盤に設けられパチンコ球が入賞することが可能な特別図柄始動口と、前記遊技盤に設けられパチンコ球が入賞することが可能な開放状態およびパチンコ球が入賞することが不能な閉鎖状態相互間で切換えられる大入賞口と、パチンコ球が前記特別図柄始動口に入賞した場合に第１の図柄と第２の図柄と第３の図柄のそれぞれを変動状態および変動停止状態で順に表示する変動表示の映像が表示されるものであって変動表示の映像で第１の図柄と第２の図柄と第３の図柄が当該順序で一つずつ変動停止状態になると共に第１の図柄と第２の図柄と第３の図柄が全て変動停止した状態で「１）第１の図柄と第２の図柄と第３の図柄が相互に同一な大当りの組合せ」と「２）第１の図柄および第２の図柄が相互に同一で第３の図柄が第１の図柄および第２の図柄のそれぞれと異なる外れリーチの組合せ」と「３）第１の図柄および第２の図柄が相互に異なる外れの組合せ」のいずれかになる図柄表示装置と、パチンコ球が前記特別図柄始動口に入賞した場合に第１の図柄と第２の図柄と第３の図柄を大当りの組合せにする大当りと外れリーチの組合せにする外れリーチと外れの組合せにする外れのいずれであるかを判定するものであって確率変動の状態である場合には大当りであると予め決められた高確率で判定すると共に確率変動の状態でない場合には大当りであると当該高確率に比べて低い通常確率で判定する手段と、大当りであると判定された場合に確率変動の状態にするか否かを判定する手段と、第１の図柄と第２の図柄と第３の図柄を大当りであると判定された場合に大当りの組合せに設定し外れリーチであると判定された場合に外れリーチの組合せに設定し外れであると判定された場合に外れの組合せに設定する手段と、前記図柄表示装置に変動表示の映像を表示する場合の演出内容を決めるための複数のリーチパターンからなるリーチテーブルとして「１１）変動表示の映像で第１の図柄と第２の図柄と第３の図柄の組合せが決まる前に特定の絵柄を第１の色彩で表示するための第１のリーチパターンを含むと共に特定の絵柄を第１の色彩とは異なる第２の色彩で表示するための第２のリーチパターンを含まずに特定の絵柄を第１の色彩および第２の色彩のいずれとも異なる第３の色彩で表示するための第３のリーチパターンを含まない複数のリーチパターンからなる第１のリーチテーブル」と「１２）第２のリーチパターンを含むと共に第１のリーチパターンおよび第３のリーチパターンのそれぞれを含まない複数のリーチパターンからなる第２のリーチテーブル」と「１３）第３のリーチパターンを含むと共に第１のリーチパターンおよび第２のリーチパターンのそれぞれを含まない複数のリーチパターンからなる第３のリーチテーブル」と「１４）第１のリーチパターンを含むと共に第２のリーチパターンおよび第３のリーチパターンのそれぞれを含まない複数のリーチパターンからなるものであって第１のリーチパターンの選択確率が第１のリーチテーブルでの第１のリーチパターンの選択確率とは異なる値に設定された第４のリーチテーブル」と「１５）第２のリーチパターンを含むと共に第１のリーチパターンおよび第３のリーチパターンのそれぞれを含まない複数のリーチパターンからなるものであって第２のリーチパターンの選択確率が第２のリーチテーブルでの第２のリーチパターンの選択確率とは異なる値に設定された第５のリーチテーブル」のそれぞれが予め記録されたＲＯＭと、大当りであると判定された場合および外れリーチであると判定された場合のそれぞれに前記ＲＯＭの第１のリーチテーブルと第２のリーチテーブルと第３のリーチテーブルと第４のリーチテーブルと第５のリーチテーブルのうちから一つのリーチテーブルを選択し当該リーチテーブルの選択結果から一つのリーチパターンを選択する選択手段と、一つのリーチパターンとして第１のリーチパターンが選択された場合と第２のリーチパターンが選択された場合と第３のリーチパターンが選択された場合のそれぞれにカウンタの値を予め決められた一定の値だけ更新するものであって大当りであると判定された場合には一つのリーチパターンが選択された後にカウンタの値を予め決められた初期値に設定する手段と、パチンコ球が前記特別図柄始動口に入賞した場合に前記図柄表示装置に変動表示の映像を表示するものであって大当りであると判定された場合には変動表示の映像をリーチパターンの選択結果に応じた演出内容で表示すると共に第１の図柄と第２の図柄と第３の図柄を変動停止状態で大当りの組合せとし外れリーチであると判定された場合には変動表示の映像をリーチパターンの選択結果に応じた演出内容で表示すると共に第１の図柄と第２の図柄と第３の図柄を変動停止状態で外れリーチの組合せとし外れであると判定された場合には第１の図柄と第２の図柄と第３の図柄を変動停止状態で外れの組合せとする手段と、大当りであると判定された場合には前記図柄表示装置に変動表示の映像で第１の図柄と第２の図柄と第３の図柄が大当りの組合せで表示された後に前記大入賞口を開放状態にする大当り動作を行う手段と、大当り動作が終了した場合に確率変動の状態にすると判定されたか否かを判断するものであって確率変動の状態にすると判定されたと判断した場合に確率変動の状態にする手段を備え、前記選択手段は大当りであると判定された場合および外れリーチであると判定された場合のそれぞれにはカウンタの値が予め決められた限度の値に到達しているか否かを判断し、「２１）カウンタの値が限度の値に到達していないと判断した場合には外れリーチであると判定された場合に前記ＲＯＭから第１のリーチテーブルを選択し第１のリーチテーブルから一つのリーチパターンを選択する処理」と「２２）カウンタの値が限度の値に到達していないと判断した場合には大当りであって確率変動の状態にすると判定された場合および確率変動の状態にしないと判定された場合のそれぞれに前記ＲＯＭから第２のリーチテーブルを選択し第２のリーチテーブルから一つのリーチパターンを選択する処理」と「２３）カウンタの値が限度の値に到達していると判断した場合には外れリーチであると判定された場合に前記ＲＯＭから第３のリーチテーブルを選択し第３のリーチテーブルから一つのリーチパターンを選択する処理」と「２４）カウンタの値が限度の値に到達していると判断した場合には大当りであって確率変動の状態にしないと判定された場合に前記ＲＯＭから第４のリーチテーブルを選択し第４のリーチテーブルから一つのリーチパターンを選択する処理」と「２５）カウンタの値が限度の値に到達していると判断した場合には大当りであって確率変動の状態にすると判定された場合に前記ＲＯＭから第５のリーチテーブルを選択し第５のリーチテーブルから一つのリーチパターンを選択する処理」のいずれかを行うことで一つのリーチパターンを選択するところに特徴を有している。
請求項２記載の遊技機は、前記ＲＯＭには前記１２）第２のリーチテーブルに換えて「１２）第１のリーチパターンおよび第２のリーチパターンのそれぞれを含むと共に第３のリーチパターンを含まない複数のリーチパターンからなる第２のリーチテーブル」が予め記録され、前記１４）第４のリーチテーブルに換えて「１４）第１のリーチパターンおよび第３のリーチパターンのそれぞれを含むと共に第２のリーチパターンを含まない複数のリーチパターンからなるものであって第１のリーチパターンの選択確率が第１のリーチテーブルでの第１のリーチパターンの選択確率とは異なる値に設定された第４のリーチテーブル」が予め記録され、前記１５）第５のリーチテーブルに換えて「１５）第２のリーチパターンおよび第３のリーチパターンのそれぞれを含むと共に第１のリーチパターンを含まない複数のリーチパターンからなるものであって第２のリーチパターンの選択確率が第２のリーチテーブルでの第２のリーチパターンの選択確率とは異なる値に設定された第５のリーチテーブル」が予め記録されているところに特徴を有している。
上記手段によれば、第１のリーチパターンおよび第２のリーチパターンのそれぞれが高頻度で出現したり、低頻度で出現するようになる。このため、第１のリーチパターンおよび第２のリーチパターンのそれぞれについてリーチパターンの出現率と信頼度との因果関係が分からなくなるので、リーチパターンに基づいて大当りの予測を行い難くなる。従って、大当りの発生に意外性ができるので、大当りを獲得したときの喜びが高まる。
【００１７】
【発明の実施の形態】
以下、本発明の第１実施例を図１ないし図９に基づいて説明する。パチンコホールの台島には、図９に示すように、外枠１が設置されている。この外枠１は前後面が開口する四角筒状をなすものであり、外枠１の前面には、図８に示すように、前面扉２が左側辺部を中心に回動可能に装着されている。
【００１８】
前面扉２の前面には下端部に位置して下皿３が固定され、下皿３の上方に位置して横長な長方形状の皿板４が左側辺部を中心に回動可能に装着されている。この皿板４の前面には上皿５が固定されており、上皿５内にはパチンコ球（図示せず）が貯溜されている。
【００１９】
前面扉２の前面には右下部に位置して発射ハンドル６が回動可能に装着されており、発射ハンドル６の後方には、図９に示すように、発射モータ７が装着されている。この発射モータ７の回転軸には打球機構を介して打球槌（いずれも図示せず）が連結されており、発射ハンドル６が図８の時計回り方向へ回動操作されると、発射モータ７に電源が与えられ、打球槌が上皿５内のパチンコ球を上皿５内から弾き出す。
【００２０】
前面扉２の前面には、図８に示すように、矩形状の窓枠８が左側辺部を中心に回動可能に装着されており、窓枠８の内周面には透明なガラス窓（図示せず）が保持されている。また、前面扉２の後面には額縁状の機構盤（図示せず）が固定されている。この機構盤には遊技盤９が保持されており、遊技盤９は窓枠８のガラス窓により前方から覆われている。
【００２１】
遊技盤９の前面には外レール１０および内レール１１が固定されており、打球槌により弾かれたパチンコ球は外レール１０および内レール１１間を通して遊技盤９内の上部に放出される。また、遊技盤９の前面には複数の障害釘（図示せず）が打込まれており、遊技盤９内の上部に放出されたパチンコ球は障害釘に当りながら落下する。
【００２２】
遊技盤９の前面には表示用台板１２が固定されており、表示用台板１２にはカラー液晶表示器からなる特別図柄表示装置１３が保持されている。この特別図柄表示装置１３は横一列に並ぶ３個の図柄表示領域ＺＥを有するものであり、各図柄表示領域ＺＥ内には「一」〜「十二」の漢数字が表示される。
【００２３】
遊技盤９の前面には特別図柄表示装置１３の下方に位置して特別図柄始動口１４が固定されている。この特別図柄始動口１４は上面が開口するポケット状をなすものであり、特別図柄始動口１４内には特別図柄始動センサ１５（図７参照）が固定されている。この特別図柄始動センサ１５は近接スイッチからなるものであり、特別図柄始動口１４内にパチンコ球が入賞したことを検出して特別図柄始動信号（特図始動信号と称する）を出力する。
【００２４】
遊技盤９の後面には、図９に示すように、正方形状のセンタカバー１６が固定されており、センタカバー１６の外周部には矩形枠状のメインセット１７が配設されている。このメインセット１７は前面扉２の後面に回動可能に装着されたものであり、メインセット１７の後面にはメイン基板ボックス１８が固定されている。このメイン基板ボックス１８内にはメイン基板１９が収納されており、メイン基板１９にはメイン制御装置２０が搭載されている。このメイン制御装置２０はマイクロコンピュータを主体に構成されたものであり、メイン制御装置２０には、図７に示すように、特別図柄始動センサ１５が電気的に接続されている。
【００２５】
センタカバー１６の後面には、図９に示すように、表示基板ボックス２１が固定されており、表示基板ボックス２１内には表示基板２２が収納されている。この表示基板２２にはマイクロコンピュータを主体に構成された表示制御装置２３が搭載されており、表示制御装置２３には、図７に示すように、ドライブ回路２４を介して特別図柄表示装置１３が電気的に接続されている。この表示制御装置２３は選択手段，表示制御手段，判定手段を有するサブ制御装置に相当するものであり、表示制御装置２３にはメイン制御装置２０が電気的に接続されている。
【００２６】
遊技盤９の前面には、図８に示すように、特別図柄始動口１４の下方に位置して弓形状の入賞口用台板２５が固定されており、入賞口用台板２５には大入賞口（図示せず）が形成されている。この大入賞口は前面が開口する四角筒状をなすものであり、大入賞口の前面には平板状の扉２６が軸２７を中心に回動可能に装着されている。
【００２７】
扉２６は大入賞口ソレノイド２８（図７参照）のプランジャにクランク機構  （図示せず）を介して機械的に連結されている。この大入賞口ソレノイド２８は入賞口用台板２５の後面に固定されたものであり、大入賞口ソレノイド２８の断電時には、図８に示すように、扉２６が垂直状態に回動することに基づいて大入賞口を閉鎖し、大入賞口ソレノイド２８の通電時には扉２６が水平状態に回動することに基づいて大入賞口を開放する。
【００２８】
大入賞口ソレノイド２８は、図７に示すように、メイン制御装置２０にドライブ回路２９を介して電気的に接続されており、メイン制御装置２０は大当りの判定時に大入賞口ソレノイド２８に励磁電源を設定時間（例えば３０秒）だけ与えることに基づいて大入賞口を設定時間だけ開放する。この開放動作はラウンド動作と称されるものであり、設定回数（例えば１５ラウンド）だけ繰返される（大当り動作）。
【００２９】
メイン制御装置２０には近接スイッチからなる大入賞口センサ３０が電気的に接続されている。この大入賞口センサ３０は入賞口用台板２５の大入賞口内に固定されたものであり、大入賞口内にパチンコ球が入賞したことを検出してメイン制御装置２０に入賞信号を出力する。
【００３０】
メインセット１７の後面には、図９に示すように、賞球基板ボックス３１が固定されている。この賞球基板ボックス３１内には賞球基板３２が収納されており、賞球基板３２にはマイクロコンピュータを主体に構成された賞球制御装置３３が搭載されている。この賞球制御装置３３は、図７に示すように、メイン制御装置２０に電気的に接続されており、メイン制御装置２０は特別図柄始動センサ１５からの特図始動信号または大入賞口センサ３０からの入賞信号を検出すると、賞球制御装置３３にパチンコ球の払出し信号を出力する。
【００３１】
メインセット１７の後面には、図９に示すように、上端部に位置して球タンク３４が固定されており、球タンク３４内にはパチンコ球が貯溜されている。また、メインセット１７の後面には傾斜樋状のタンクレール３５および球払出しケース３６が固定されている。この球払出しケース３６はタンクレール３５を介して球タンク３４内に繋がっており、球払出しケース３６内には球タンク３４内からタンクレール３５内を通してパチンコ球が供給される。
【００３２】
球払出しケース３６内には球払出し機構が収納されている。この球払出し機構はパルスモータからなる球払出しモータ３７を駆動源とするものであり、球払出しモータ３７の駆動時には球払出しモータ３７の回転軸が単位量回転する毎に球払出しケース３６内から下方へ単位個数のパチンコ球が払出される。
【００３３】
球払出しモータ３７は、図７に示すように、ドライブ回路３８を介して賞球制御装置３３に電気的に接続されており、賞球制御装置３３はメイン制御装置２０からの払出し信号を検出すると、球払出しモータ３７を駆動することに基づいて球払出しケース３６内からパチンコ球を払出す。
【００３４】
メインセット１７には上皿球通路（図示せず）が設けられている。この上皿球通路は球払出しケース３６と上皿５とを繋ぐものであり、球払出しケース３６内から放出されたパチンコ球は上皿球通路を通して上皿５内に供給される。また、メインセット１７には下皿通路（図示せず）が設けられている。この下皿通路は上皿５と下皿３との間を接続するものであり、上皿５内から溢れたパチンコ球は下皿通路を通して下皿３内に供給される。
【００３５】
センタカバー１６の後面には、図９に示すように、ランプ基板ボックス３９が固定されている。このランプ基板ボックス３９内にはランプ基板４０が収納されており、ランプ基板４０にはマイクロコンピュータを主体に構成されたランプ制御装置４１が搭載されている。このランプ制御装置４１は、図７に示すように、メイン制御装置２０に電気的に接続されており、メイン制御装置２０は遊技の進行状況に応じたランプ制御信号を設定し、ランプ制御装置４１に出力する。
【００３６】
遊技盤９の前面には、図８に示すように、２個のサイドランプカバー４２および２個のコーナーランプカバー４３が固定され、前面扉２の前面にはＬ字状の枠ランプカバー４４が固定されており、サイドランプカバー４２内〜枠ランプカバー４４内には複数のランプ４５および複数のＬＥＤ４６が収納されている（いずれも図７参照）。
【００３７】
複数のランプ４５および複数のＬＥＤ４６は、図７に示すように、ドライブ回路４７を介してランプ制御装置４１に電気的に接続されており、ランプ制御装置４１はメイン制御装置２０からのランプ制御信号に応じたイルミネーションデータを設定する。そして、複数のランプ４５および複数のＬＥＤ４６をイルミネーションデータに基づいて発光制御し、サイドランプカバー４２〜枠ランプカバー４４を電飾する。
【００３８】
センタカバー１６の後面には、図９に示すように、スピーカ基板ボックス４８が固定されている。このスピーカ基板ボックス４８内にはスピーカ基板４９が収納されており、スピーカ基板４９にはマイクロコンピュータを主体に構成されたスピーカ制御装置５０が搭載されている。このスピーカ制御装置５０は、図７に示すように、メイン制御装置２０に電気的に接続されており、メイン制御装置２０は遊技の進行状況に応じたスピーカ制御信号を設定し、スピーカ制御装置５０に出力する。
【００３９】
上皿５には、図８に示すように、スリット状の出音口５１が形成されており、メインセット１７には出音口５１の後方に位置してスピーカ５２が固定されている。このスピーカ５２は、図７に示すように、ドライブ回路５３を介してスピーカ制御装置５０に電気的に接続されており、スピーカ制御装置５０はメイン制御装置２０からのスピーカ制御信号に応じたサウンドデータを設定する。そして、スピーカ５２をサウンドデータに基づいて鳴動制御し、スピーカ５２から出音口５１を通して効果音を出力する。
【００４０】
次に上記構成の作用について説明する。尚、下記動作はメイン制御装置２０および表示制御装置２３が記憶手段に相当する内部のＲＯＭ５４およびＲＯＭ５５（いずれも図７参照）に予め記録された制御プログラムに基づいて実行するものである。
【００４１】
メイン制御装置２０は電源が投入されると、図４のステップＳ１へ移行し、大当り判定値に少数個（例えば１個）の設定値をセットすることに基づいて大当り確率を通常値に設定する。そして、ステップＳ２へ移行し、表示制御装置２３に初期画面の表示指令を出力する。
【００４２】
表示制御装置２３は電源が投入されると、図５のステップＳ２１へ移行し、リーチ回数カウンタ値Ｎｒに「０」をセットする（０→Ｎｒ）。そして、ステップＳ２２でメイン制御装置２０からの表示指令を検出すると、ステップＳ２３へ移行し、特別図柄表示装置１３の左列の図柄表示領域ＺＥ内，中列の図柄表示領域ＺＥ内，右列の図柄表示領域ＺＥ内に初期図柄「一」，「二」，「三」を表示する（初期画面の表示）。
【００４３】
メイン制御装置２０は図４のステップＳ３で特別図柄始動センサ１５からの特図始動信号を検出すると、ステップＳ４へ移行し、大当りカウンタ値と特典カウンタ値と図柄カウンタ値とを取得する。これら大当りカウンタ値〜図柄カウンタ値は「０」から異なる上限値に加算された後に「０」に戻って加算されるものであり、メイン制御装置２０は大当りカウンタ値〜図柄カウンタ値を取得すると、ステップＳ５へ移行する。
【００４４】
メイン制御装置２０はステップＳ５へ移行すると、大当りカウンタ値を大当り判定値および外れリーチ判定値と比較する。そして、大当りカウンタ値が大当り判定値と同一であるときには大当りと判定し、大当りカウンタ値が外れリーチ判定値と同一であるときには外れリーチと判定し、大当りカウンタ値が大当り判定値および外れリーチ判定値の双方と異なるときには外れと判定する。
【００４５】
大当りカウンタは「０」から「３２６」に加算された後に「０」に戻って加算されるものであり、通常確率時には大当り判定値が「７」に設定され、高確率時には大当り判定値が「６０」，「１２０」，「１８０」，「２４０」，「３００」に設定される。従って、通常確率時には大当りが「１／３２７」の割合で出現し、高確率時には大当りが「５／３２７」の割合で出現する。また、外れリーチ判定値は「２０」，「４０」……「３００」，「３２０」の「２０」毎に設定されており、外れリーチは「１６／３２７」の割合で出現する。
【００４６】
メイン制御装置２０は大当りを判定すると、ステップＳ６へ移行し、ステップＳ５の大当り判定結果を検出する。ここで、大当りを検出したときにはステップＳ６からＳ７を経てＳ８へ移行し、外れリーチまたは外れを検出したときにはステップＳ６からＳ８へ移行する。
【００４７】
メイン制御装置２０はステップＳ７へ移行すると、特典カウンタ値を特典判定値と比較する。そして、両者が同一であるときには特典の獲得と判定し、両者が相違しているときには特典の非獲得と判定する。この特典カウンタは「０」から「９」に加算された後に「０」に戻って加算されるものであり、特典判定値は  「１」，「３」，「５」，「７」，「９」に設定されている。従って、大当り時には特典の獲得および非獲得が１対１の割合で判定される。
【００４８】
メイン制御装置２０はステップＳ８へ移行すると、下記▲１▼〜▲４▼に示すように、左列の図柄，中列の図柄，右列の図柄を設定する。
▲１▼特典付き大当りの判定時：「一」〜「十二」の中から図柄カウンタ値に応じた１種類の奇数を選択し、左列，中列，右列を同一の奇数に設定する。
▲２▼特典無し大当りの判定時：「一」〜「十二」の中から図柄カウンタ値に応じた１種類の偶数を選択し、左列，中列，右列を同一の偶数に設定する。
【００４９】
▲３▼外れリーチの判定時：「一」〜「十二」の中から図柄カウンタ値に応じた２種類の数字を選択する。そして、左列および右列を同一数字に設定し、中列を残りの別の数字に設定する。
▲４▼外れの判定時：「一」〜「十二」の中から図柄カウンタ値に応じた２種類または３種類の数字を選択する。そして、２種類の数字を選択したときには左列および中列を同一数字に設定し、右列を残りの別の数字に設定する。また、３種類の数字を選択したときには左列，中列，右列を３種類の異なる数字に設定する。
【００５０】
メイン制御装置２０は図柄を設定すると、ステップＳ９へ移行し、表示制御装置２３に制御情報（制御指令に相当する）を出力する。この制御情報は大当り判定結果と特典獲得結果と図柄設定結果とを有するものであり、表示制御装置２３は図５のステップＳ２４で制御情報を検出すると、ステップＳ２５へ移行し、制御情報の大当り判定結果が外れであるかを判断する。
【００５１】
＜外れ判定時の制御内容について＞
表示制御装置２３は制御情報の大当り判定結果が外れであると判断すると、ステップＳ２５からＳ２６へ移行し、特別図柄表示装置１３に図柄変動画面を表示する。この図柄変動画面は左列，中列，右列の各列の図柄が「一」→「二」…  「十一」→「十二」→「一」…の設定順序でループ状に変動する演出のものであり、表示制御装置２３は図柄変動画面の表示を開始すると、ステップＳ２７へ移行する。
【００５２】
表示制御装置２３はステップＳ２７で予め設定された図柄変動時間が経過したことを検出すると、ステップＳ２８へ移行し、特別図柄表示装置１３の各列の図柄を制御情報の設定図柄で仮停止（一時停止）させる。この図柄の仮停止は左列→右列→中列の順序で行われるものであり、表示制御装置２３は各列の図柄を仮停止状態で上下方向へ揺することに基づいて再変動の期待感を与える。
【００５３】
メイン制御装置２０は図４のステップＳ９で制御情報を出力すると、ステップＳ１０へ移行し、図柄確定時間が経過するまで待機する。この図柄確定時間は左列の図柄〜右列の図柄が仮停止した状態で経過するように予め設定されたものであり、メイン制御装置２０は図柄確定時間の経過を判断すると、ステップＳ１１へ移行し、表示制御装置２３に図柄確定指令を出力する。
【００５４】
表示制御装置２３は図５のステップＳ２９で図柄確定指令を検出すると、ステップＳ３０へ移行する。ここで、特別図柄表示装置１３の左列の図柄〜右列の図柄を静止させ、遊技者に外れが確定したことを知らせる。
【００５５】
メイン制御装置２０は図柄確定指令を出力すると、図４のステップＳ１１からＳ１２へ移行し、大当り判定結果を検出する。この場合には大当り判定結果として外れが記録されているので、ステップＳ１２からＳ３に復帰する。
【００５６】
＜外れリーチ判定時および大当り判定時の制御内容について＞
表示制御装置２３は制御情報の大当り判定結果が外れリーチまたは大当りであることを検出すると、図５のステップＳ２５からＳ３１へ移行し、リーチカウンタ値を取得する。このリーチカウンタ値は「０」から上限値に加算された後に  「０」に戻って加算されるものであり、表示制御装置２３はリーチカウンタ値を取得すると、ステップＳ３２へ移行する。
【００５７】
表示制御装置２３はステップＳ３２へ移行すると、リーチ回数カウンタ値Ｎｒを「３」と比較する。ここで、「Ｎｒ≦３」を検出したときにはステップ３３へ移行し、「Ｎｒ＞３」を検出したときにはステップ３４へ移行する。このリーチ回数カウンタ値Ｎｒは後のステップＳ３７で加算されるものであり、電源投入時には先のステップＳ２１でクリアされ、大当りの発生時には後のステップＳ４３でクリアされる。
【００５８】
表示制御装置２３のＲＯＭ５５には、図６の（ａ）〜（ｅ）に示すように、外れ用の上期リーチテーブルと大当り用の上期リーチテーブルと外れ用の下期リーチテーブルと大当り用の下期リーチテーブル（普通用）と大当り用の下期リーチテーブル（確変用）とが記録されている。これら各リーチテーブルはリーチカウンタ値とリーチパターンとの関係を示すものであり、表示制御装置２３は、下記▲１▼〜▲５▼に示すように、図５のステップＳ３３およびＳ３４で５種類のリーチテーブルを選択的に取得する。
【００５９】
▲１▼制御情報の大当り判定結果が外れリーチであり、リーチ回数カウンタ値Ｎｒが３以下のときには図５のステップＳ３２からＳ３３へ移行し、図６の（ａ）の外れ用の上期リーチテーブルを取得する。
▲２▼制御情報の大当り判定結果が大当りであり、リーチ回数カウンタ値Ｎｒが３以下のときには図５のステップＳ３２からＳ３３へ移行し、図６の（ｂ）の大当り用の上期リーチテーブルを取得する。
【００６０】
▲３▼制御情報の大当り判定結果が外れリーチであり、リーチ回数カウンタ値Ｎｒが４以上のときには図５のステップＳ３２からＳ３４へ移行し、図６の（ｃ）の外れ用の下期リーチテーブルを取得する。
▲４▼制御情報の大当り判定結果が特典無しの大当りであり、リーチ回数カウンタ値Ｎｒが４以上のときには図５のステップＳ３２からＳ３４へ移行し、図６の（ｄ）の大当り用の下期リーチテーブルを取得する。
▲５▼制御情報の大当り判定結果が特典付きの大当りであり、リーチ回数カウンタ値Ｎｒが４以上のときには図５のステップＳ３２からＳ３４へ移行し、図６の（ｅ）の大当り用の下期リーチテーブルを取得する。
【００６１】
表示制御装置２３はリーチテーブルを取得すると、図５のステップＳ３３またはＳ３４からＳ３５へ移行する。そして、リーチカウンタ値に対応するリーチパターンをリーチテーブルから検出し、ステップＳ３６へ移行する。
【００６２】
表示制御装置２３はステップＳ３６へ移行すると、リーチパターンの設定結果を検出する。ここで、リーチパターンとして「赤色」の書類リーチまたは「紫色」の書類リーチまたは「金色」の書類リーチが設定されていることを検出すると、ステップＳ３７へ移行する。そして、リーチ回数カウンタ値Ｎｒに「１」を加算し（Ｎｒ＋１→Ｎｒ）、ステップＳ３８へ移行する。
【００６３】
表示制御装置２３はステップＳ３８へ移行すると、特別図柄表示装置１３に上述の図柄変動画面を表示する。そして、ステップＳ３９で図柄変動時間が経過したことを検出すると、ステップＳ４０へ移行する。
【００６４】
表示制御装置２３はステップＳ４０へ移行すると、左列の図柄および右列の図柄を制御情報の設定図柄で仮停止させる（リーチの仮表示）。この図柄の仮停止は左列→右列の順序で行われるものであり、表示制御装置２３は図柄を仮停止状態で上下方向へ揺らすことに基づいて図柄が確定していないことを遊技者に知らせる。
【００６５】
表示制御装置２３はリーチを仮表示すると、ステップＳ４１へ移行し、特別図柄表示装置１３にステップＳ３５で設定したリーチパターンを表示する。以下、リーチパターンについて説明する。
【００６６】
＜棍棒リーチについて＞
表示制御装置２３は左列の図柄および右列の図柄を仮停止させると、中列の図柄をスロー変動させる。このスロー変動は図柄を種類が明確に識別できる程度の速度でゆっくりと変動させることを称するものであり、表示制御装置２３は中列の図柄をスロー変動させると、図２の（ａ）に示すように、中列の図柄の後方に棍棒を構えた女性のキャラクターを表示する。そして、キャラクターが中列の図柄を棍棒で叩く演出の画面を表示し、図２の（ｂ）または（ｃ）に示すように、中列の図柄をキャラクターが叩いたもので仮停止させる。
【００６７】
＜傘リーチについて＞
表示制御装置２３は左列の図柄および右列の図柄を仮停止させると、図３の  （ａ）に示すように、中列に女性のキャラクターを登場させ、キャラクターが傘を廻す演出の画面を表示する。このとき、傘の内部に図柄を「一」→「二」…  「十一」→「十二」→「一」…の設定順序で変動表示する。そして、キャラクターが傘を止めると同時に傘内の図柄を変動停止させ、図３の（ｂ）または（ｃ）に示すように、中列の図柄を傘内の図柄で仮停止させる。
【００６８】
＜書類リーチについて＞
表示制御装置２３は左列の図柄および右列の図柄を仮停止させると、図１の  （ａ）に示すように、女性のキャラクターを登場させ、キャラクターが中列の図柄を書類で煽ぐ演出の画面を表示する。このとき、中列の図柄を「一」→「二」…「十一」→「十二」→「一」…の設定順序で変動させる。そして、中列に制御情報の設定図柄が登場した時点でキャラクターが書類の扇ぎを止める演出の画面を表示し、図１の（ｂ）または（ｃ）に示すように、中列を制御情報の設定図柄で仮停止させる。
【００６９】
図１の（ｄ）は書類リーチの出現回数と大当りとの関係を示すものである。この書類リーチの出現回数は、上述したように、電源投入時または大当り終了後を基準にカウントされるものであり、書類リーチの出現回数が０回〜３回の状態ではキャラクターのスカートが「赤色」であるときに外れが確定的に発生し、「金色」であるときに特典無しまたは特典付きの大当りが確定的に発生する。また、書類リーチの出現回数が４回以上の状態ではスカートが「紫色」であるときに外れが確定的に発生し、「赤色」および「金色」であるときに特典無しの大当りおよび特典付きの大当りが確定的に発生する。
【００７０】
「赤色」の書類リーチは出現回数が３回以下である場合に外れ用として使用されるものであり、選択確率は「外れリーチの発生確率（１６／３２７）×リーチパターンの発生確率（７／４０）」に設定されている。また、「赤色」の書類リーチは出現回数が３回を超える場合に特典無しの普通大当り用として使用されるものであり、選択確率は「普通大当りの発生確率（１／３２７×２）×リーチパターンの発生確率（９／４０）」に設定されている。従って、「赤色」の書類リーチは出現回数３回を設定条件に選択確率が低下し、図柄の変動回数の面では変動回数が大当り発生回数「３２７回」程度の「約３５０回」になった時点で出現率が低下する。
【００７１】
「紫色」の書類リーチは出現回数が３回以下である場合に使用されず、３回を超える場合に外れ用として使用されるものであり、出現回数が３回以下の場合の選択確率は「０」に設定され、出現回数が３回を超える場合の選択確率は「外れリーチの発生確率（１６／３２７）×リーチパターンの発生確率（７／４０）」に設定されている。従って、「紫色」の書類リーチは出現回数３回を設定条件に選択確率が高まり、図柄の変動回数の面では変動回数が大当り発生回数「３２７回」程度の「約３５０回」になった時点で出現し始める。尚、上述の説明は大当り確率が通常値の場合のものであるが、高値の場合でも同様である。
【００７２】
表示制御装置２３はリーチパターンを表示すると、図５のステップＳ４１からＳ４２へ移行し、制御情報の大当り判定結果を判断する。ここで、大当り判定結果が大当りであることを検出したときにはステップＳ４２からＳ４３へ移行し、リーチ回数カウンタ値ＮｒをクリアしてステップＳ２９へ移行する。また、大当り判定結果が外れリーチであることを検出したときにはステップＳ４２からＳ４３を経ずにＳ２９へ移行する。
【００７３】
表示制御装置２３はステップＳ２９でメイン制御装置２０からの図柄確定指令を検出すると、ステップＳ３０へ移行し、左列の図柄〜右列の図柄を静止させることに基づいて外れまたは大当りが確定したことを知らせる。
【００７４】
メイン制御装置２０は図柄確定指令を出力すると、図４のステップＳ１１からＳ１２へ移行する。ここで、大当り判定結果が外れリーチであることを検出したときにはステップＳ３に復帰し、大当り判定結果が大当りであることを検出したときにはステップＳ１３へ移行する。そして、大入賞口ソレノイド２８を駆動制御し、上述の大当り動作を実行する。
【００７５】
メイン制御装置２０は大当り動作を終えると、ステップＳ１３からＳ１４へ移行する。ここで、特典の非獲得を検出したときにはステップＳ１４からＳ１５へ移行し、大当り判定値に１個の設定値をセットすることに基づいて大当り確率を通常値に設定する。そして、ステップＳ３に復帰し、大当りを通常確率で判定する。また、特典の獲得を検出したときにはステップＳ１４からＳ１６へ移行し、大当り判定値に５個の設定値をセットすることに基づいて大当り確率を高値に設定する。そして、ステップＳ３に復帰し、大当りを高確率で判定する。
【００７６】
尚、表示制御装置２３はバックアップメモリ（図示せず）を有しており、電源の遮断時には制御情報およびリーチ回数カウンタ値Ｎｒ等がバックアップメモリに格納される。また、表示装置２３のＲＯＭ５５には複数の表示データが記録されており、上述の各画面はＲＯＭ５５の表示データに基づいて表示されるものである。
【００７７】
上記第１実施例によれば、「赤色」の書類リーチの選択確率を設定条件に応じて変えたので、「赤色」の書類リーチが高頻度で出現したり、低頻度で出現するようになる。このため、「赤色」の書類リーチの出現率と信頼度との因果関係が分からなくなるので、「赤色」の書類リーチに基づいて大当りの予測を行い難くなる。従って、大当りの発生に意外性ができるので、大当りを獲得したときの喜びが高まる。この効果は「紫色」の書類リーチについても同様である。
【００７８】
また、表示制御装置２３側でリーチパターンの選択処理を行った。このため、メイン制御装置２０側でリーチパターンの選択処理を行う必要がなくなるので、メイン制御装置２０を少量の変更で異機種に流用できる。
また、書類リーチの出現回数を表示制御装置２３の内部でカウントし、表示制御装置２３の内部で設定回数と比較することに基づいて選択確率の変更タイミングを検出した。このため、メイン制御装置２０に選択確率の変更タイミングの検出機能を持たせる必要がなくなるので、メイン制御装置２０の処理内容が簡単になる。
【００７９】
また、「赤色」の書類リーチの出現回数が４回に達する前は「赤色」の書類リーチの選択確率を継続的に高値に固定し、「赤色」の書類リーチの出現回数が４回に達した後は「赤色」の書類リーチの選択確率を継続的に低値に固定した。このため、「赤色」の書類リーチの選択確率を図柄の変動毎に変える場合とは異なり、「赤色」の書類リーチの出現率と信頼度との間に少量の因果関係ができる。従って、「赤色」の書類リーチの信頼度を少量の因果関係に基づいて追及する楽しみができるので、遊技のおもしろさが高まる。この効果は「紫色」の書類リーチについても同様である。
【００８０】
また、「赤色」の書類リーチの選択確率を出現回数が設定値に達することに基づいて低下させた。このため、「赤色」の書類リーチが繰返し出現することがなくなるので、遊技のおもしろさが高まる。しかも、図柄の変動回数が大当り発生回数程度になった時点で「赤色」の書類リーチの選択確率を低下させた。このため、確率的に大当りが発生する気分になっているところで外れ用の「赤色」の書類リーチが出現し難くなるので、遊技者をがっかりさせることが防止される。
【００８１】
また、「紫色」の書類リーチの選択確率を出現回数が設定値に達することに基づいて「０」から高めた。このため、「紫色」の書類リーチが突然に出現し始めるので、「紫色」の書類リーチに対する大当りの期待度が高まり、遊技のおもしろさが向上する。しかも、図柄の変動回数が大当り発生回数程度になった時点で「紫色」の書類リーチの選択確率を高めた。このため、確率的に大当りが発生する気分になっているとこで色彩が異なる「紫色」の書類リーチが出現し易くなるので、大当りの期待度が大幅に高まり、遊技のおもしろさが一層向上する。
【００８２】
また、書類リーチの出現回数を大当りの発生に基づいてクリアしたので、大当りの発生に基づいて遊技者が変わった場合に新たな遊技者にとって遊技の開始を基準に出現回数がカウントされる。このため、出現回数を正確に認識できるので、選択確率の変更タイミングを正確に把握できる。
また、書類リーチの出現回数を電源の投入に基づいてクリアしたので、バックアップメモリに記録された前日の出現回数に本日の出現回数が加算されることがなくなる。このため、書類リーチの出現回数を正確に認識できるので、この点からも選択確率の変更タイミングを正確に把握できる。
【００８３】
また、リーチテーブルの中からリーチパターンを選択した。このため、表示制御装置２３のリーチパターンの選択プログラムが簡単になるので、リーチパターンを高速度で選択できる。
また、「紫色」の書類リーチを出現させることに基づいてリーチパターンの選択確率が変わったことを表示したので、「紫色」の書類リーチを確認することに基づいて選択確率の変更を知ることができる。このため、緩んだ遊技気分が一新され、新鮮な気分で遊技に取組むことができるので、遊技のおもしろさが高まる。しかも、「紫色」の書類リーチの色彩の違いが大当りの発生を予感させるので、大当りに対する期待度が高まり、遊技のおもしろさが向上する。尚、「紫色」の書類リーチは「赤色」の書類リーチと演出が同一で色彩が異なるリーチパターンに相当するものである。
【００８４】
次に本発明の第２実施例を図１０に基づいて説明する。大当り用の上期リーチテーブルには、図１０の（ｂ）に示すように、「赤色」の書類リーチが設定されており、書類リーチの出現回数が０回から３回であるときには大当りの信頼度が下記▲１▼および▲２▼のようになる。
▲１▼「赤色」の書類リーチ…信頼度が低い（０ではない）
▲２▼「金色」の書類リーチ…普通大当りまたは確変大当りの信頼度が高い（１００％）
【００８５】
大当り用の下期リーチテーブルには、図１０の（ｄ）および（ｅ）に示すように、「紫色」の書類リーチが設定されており、書類リーチの出現回数が４回以上であるときには大当りの信頼度が下記▲３▼〜▲５▼のようになる。
▲３▼「紫色」の書類リーチ…信頼度が低い（０ではない）
▲４▼「赤色」の書類リーチ…普通大当りの信頼度が高い（１００％）
▲５▼「金色」の書類リーチ…確変大当りの信頼度が高い（１００％）
【００８６】
上記第２実施例によれば、書類リーチの出現回数が０回から３回である場合に「赤色」の書類リーチで大当りが発生する可能性ができ、書類リーチの出現回数が４回以上である場合に「紫色」の書類リーチで大当りが発生する可能性ができるので、「赤色」の書類リーチまたは「紫色」の書類リーチが出現することに基づいて遊技者をがっかりさせることが防止される。
【００８７】
次に本発明の第３実施例を図１１に基づいて説明する。表示制御装置２３の制御プログラムにはフラグ選択ステップが設けられている。このフラグ選択ステップは制御情報の大当り判定結果と制御情報の特典獲得結果とリーチ回数カウンタ値Ｎｒとに基づいてフラグＦ１〜Ｆ５のいずれかを選択するものであり、表示制御装置２３はフラグＦ１〜Ｆ５のいずれかを選択すると、フラグＦ１〜Ｆ５のうち選択したものをオンする。
【００８８】
表示制御装置２３の制御プログラムにはリーチパターン選択ステップが設けられている。このリーチパターン選択ステップはフラグＦ１〜Ｆ５の設定状態に基づいてリーチパターンを探索するものであり、表示制御装置２３はフラグＦ１〜Ｆ５のうちオン状態にあるものに対応するリーチパターンを取得する。尚、図１１はテーブルデータを示すものではなく、リーチカウンタ値とフラグＦ１〜Ｆ５とリーチパターンの関係を示すものである。
【００８９】
上記第３実施例によれば、リーチパターンをフラグＦ１〜Ｆ５の設定状態に基づいてプログラム的に選択した。このため、リーチパターンを選択するためのテーブルデータが不要になるので、表示制御装置２３のＲＯＭ５５のデータ量が少なくなる。従って、ＲＯＭ５５に空きスペースができるので、空きスペースに別のデータを記録する等、ＲＯＭ５５を有効利用できる。
【００９０】
尚、上記第１ないし第３実施例においては、「赤色」の書類リーチが「３回」出現することに基づいてリーチパターンの選択確率を変えたが、これに限定されるものではなく、例えば「１回」または「２回」（図柄変動回数が大当り発生回数に達する中程）に設定したり、「４回」以上（図柄変動回数が大当り発生回数を十分に超えた程度）に設定しても良い。
【００９１】
次に本発明の第４実施例を図１２に基づいて説明する。表示制御装置２３はステップＳ４４へ移行すると、図柄変動カウンタ値Ｎｚを設定値「３２０」と比較する。この図柄変動カウンタ値Ｎｚは図柄を変動開始させることに基づいてステップＳ４５またはＳ４６で加算され、電源投入時または大当り発生時にステップＳ４７またはステップＳ４８でクリアされるものであり、表示制御装置２３は、下記▲１▼〜▲５▼に示すように、図柄変動カウンタ値Ｎｚと設定値「３２０」との比較結果に応じたリーチテーブルを取得し、リーチテーブルからリーチカウンタ値に応じたリーチパターンを取得する。
【００９２】
▲１▼制御情報の大当り判定結果が外れリーチであり、図柄変動カウンタ値Ｎｚが３２０以下のときにはステップＳ４４からＳ３３へ移行し、図６の（ａ）の外れ用の上期リーチテーブルを取得する。
▲２▼制御情報の大当り判定結果が大当りであり、図柄変動カウンタ値Ｎｚが３２０以下のときにはステップＳ４４からＳ３３へ移行し、図６の（ｂ）の大当り用の上期リーチテーブルを取得する。
【００９３】
▲３▼制御情報の大当り判定結果が外れリーチであり、図柄変動カウンタ値Ｎｚが３２０を超えるときにはステップＳ４４からＳ３４へ移行し、図６の（ｃ）の外れ用の下期リーチテーブルを取得する。
▲４▼制御情報の大当り判定結果が特典無しの大当りであり、図柄変動カウンタ値Ｎｚが３２０を超えるときにはステップＳ４４からＳ３４へ移行し、図６の（ｄ）の大当り用の下期リーチテーブルを取得する。
▲５▼制御情報の大当り判定結果が特典付きの大当りであり、図柄変動カウンタ値Ｎｚが３２０を超えるときにはステップＳ４４からＳ３４へ移行し、図６の（ｅ）の大当り用の下期リーチテーブルを取得する。
【００９４】
上記第４実施例によれば、図柄の変動回数が設定値に達することに基づいてリーチパターンの選択確率を変えた。このため、書類リーチの出現回数に基づいて選択確率を変える場合とは異なり、書類リーチの出現状態のばらつきの影響で選択確率の図柄変動回数に対する変更タイミングがばらつくことが防止されるので、選択確率の変更タイミングが安定する。
【００９５】
尚、上記第４実施例においては、図柄の変動回数が「３２０回」を超えることに基づいてリーチパターンの選択確率を変えたが、これに限定されるものではなく、例えば「１６０回」程度（大当り発生回数に達する中程）に設定したり、  「３６０回」程度（大当り発生回数を十分な一割以上超えた程度）に設定しても良い。
【００９６】
また、上記第１ないし第４実施例においては、「赤色」の書類リーチを選択確率の変更前には低信頼度用として利用し、選択確率の変更後には高信頼度用として利用したが、これに限定されるものではなく、例えば信頼度を略一定に設定した上で選択確率だけを変えても良い。図１３は「赤色」の書類リーチの信頼度を低値（０）に固定し、選択確率だけを変えた本発明の第５実施例を示している。この場合、書類リーチの出現回数が０回〜３回のときには「赤色」の書類リーチがリーチパターンの中から「７／４０」の確率で選択され、書類リーチの出現回数が４回以上のときには「赤色」の書類リーチがリーチパターンの中から「１／４０」の確率で選択される。
【００９７】
また、上記第１ないし第５実施例においては、書類リーチとしてキャラクターのスカートの色彩が異なる「赤色」，「紫色」，「金色」の３種類のリーチパターンを表示したが、これに限定されるものではなく、例えばキャラクターの服装が異なる「スーツ姿」，「着物姿」，「水着姿」の３種類のリーチパターンを表示しても良い。この場合、書類リーチの視覚的な雰囲気が選択確率の変更前後で大幅に変わる。このため、別個の機種で遊技を行っている気分を味わうことができるので、遊技のおもしろさが高まる。
【００９８】
また、上記第１ないし第５実施例においては、表示制御装置２３がリーチパターンの選択処理を行う構成としたが、これに限定されるものではなく、例えばメイン制御装置２０がリーチパターンの選択処理を行う構成にしても良い。この場合、メイン制御装置２０が選択確率の変更タイミングを検出するように構成することが好ましい。
【００９９】
また、上記第１ないし第５実施例においては、「赤色」の書類リーチおよび  「紫色」の書類リーチの選択確率を同時に変えたが、これに限定されるものではなく、例えば「赤色」の書類リーチの出現回数が２回に達した時点で「紫色」の書類リーチの選択確率を変え、「赤色」の書類リーチの出現回数が３回に達した時点で「赤色」の書類リーチの選択確率を変える等、両者の選択確率をタイミングをずらして変えても良い。
また、上記第１ないし第５実施例においては、「赤色」の書類リーチおよび  「紫色」の書類リーチの選択確率を２段階に変えたが、これに限定されるものではなく、３段階以上に変えても良い。
【０１００】
また、上記第１ないし第５実施例においては、特別図柄表示装置１３に図柄表示領域ＺＥを横３列に設けたが、これに限定されるものではなく、例えば横３列×縦３段の９個の図柄表示領域ＺＥを設け、同一の３個の図柄を横一列または斜め一列に並べることに基づいて大当りを表示しても良い。
また、上記第１ないし第５実施例においては、特別図柄表示装置１３の図柄表示領域ＺＥ内に漢数字を表示したが、これに限定されるものではなく、例えばアルファベットやカタカナや平仮名や算用数字等の図柄を表示しても良い。
【０１０１】
また、上記第１ないし第５実施例においては、特定図柄で大当りが発生することに基づいて大当り確率が高まる確率変動形のパチンコ機に本発明を適用したが、これに限定されるものではなく、例えば特定図柄で大当りが発生することに基づいて図柄変動時間が短縮される時間短縮形のパチンコ機に適用したり、図柄の種類に拘らず大当り確率および図柄変動時間が一定な普通形のパチンコ機に適用しても良い。
【０１０２】
また、上記第１ないし第５実施例においては、大当りの表示に連動して大当り動作が行われる１種のパチンコ機に本発明を適用したが、これに限定されるものではなく、例えば３種のパチンコ機に適用しても良い。このパチンコ機は図柄表示装置に大当り図柄が表示されることに基づいて特別入賞口が開放されるものであり、特別入賞口の開放時に特別入賞口内にパチンコ球が入賞することに基づいて大当り動作が行われる。上記実施例には特許請求の範囲に記載された発明に加えて次の［発明１］〜［発明１４］が記載されている。
［発明１］
複数の図柄が変動する様子が表示される図柄表示装置と、複数のリーチパターンの中からリーチパターンを選択する選択手段と、前記選択手段の選択結果に応じたリーチパターンを前記図柄表示装置に表示することに基づいて複数の図柄の組合わせが一時的に決まる様子を演出する表示制御手段とを備え、前記選択手段は少なくとも１個のリーチパターンの選択確率を設定条件に応じて変えることを特徴とする遊技機。この発明１によれば、同一のリーチパターンが高頻度で出現したり、低頻度で出現するようになる。このため、リーチパターンの出現率と信頼度との因果関係が分からなくなるので、リーチパターンに基づいて大当りの予測を行い難くなる。従って、大当りの発生に意外性ができるので、大当りを獲得したときの喜びが高まる。
［発明２］
制御指令を出力するメイン制御装置と、前記メイン制御装置からの制御指令を検出することに基づいて図柄表示装置に複数の図柄を変動表示するサブ制御装置とを備え、前記サブ制御装置は複数のリーチパターンの中からリーチパターンを選択する選択手段と、前記選択手段の選択結果に応じたリーチパターンを前記図柄表示装置に表示する表示制御手段とを有し、前記選択手段は少なくとも１個のリーチパターンの選択確率を設定条件に応じて変えることを特徴とする遊技機。この発明２によれば、同一のリーチパターンが高頻度で出現したり、低頻度で出現するようになるので、リーチパターンに基づいて大当りの予測を行い難くなる。このため、大当りの発生に意外性ができるので、大当りを獲得したときの喜びが高まる。しかも、サブ制御装置側でリーチパターンの選択処理が行われる。このため、メイン制御装置側でリーチパターンの選択処理を行う必要がなくなるので、メイン制御装置を少量の変更で異機種に流用できる。
［発明３］
前記サブ制御装置は設定条件の成立状態を判定する判定手段を有していることを特徴とする発明２に記載の遊技機。この発明３によれば、設定条件の成立状態がサブ制御装置の内部で判定される。このため、メイン制御装置に設定条件の判定機能を持たせる必要がなくなるので、メイン制御装置の処理内容が簡単になる。
［発明４］
前記選択手段は設定条件の成立前後にリーチパターンの選択確率を異なる値に継続的に固定することを特徴とする発明１ないし３のいずれかに記載の遊技機。この発明４によれば、リーチパターンの選択確率が継続的に固定されるので、リーチパターンの選択確率を図柄の変動毎に変える場合とは異なり、出現率と信頼度との間に少量の因果関係が残される。このため、リーチパターンの信頼度を少量の因果関係に基づいて追及する楽しみができるので、遊技のおもしろさが高まる。
［発明５］
前記選択手段はリーチパターンの選択確率を出現回数に応じて変えることを特徴とする発明１ないし４のいずれかに記載の遊技機。この発明５によれば、例えばリーチパターンの出現回数が設定値に達することに基づいてリーチパターンの出現率を低下させることができる。このため、見飽きたリーチパターンが高頻度で繰返し出現することがなくなるので、遊技のおもしろさが高まる。
［発明６］
前記選択手段はリーチパターンの選択確率を図柄の変動回数に応じて変えることを特徴とする発明１ないし４のいずれかに記載の遊技機。この発明６によれば、リーチパターンの出現回数に基づいて選択確率を変える場合とは異なり、リーチパターンの出現状態のばらつきの影響で選択確率の図柄変動回数に対する変更タイミングがばらつくことが防止されるので、選択確率の変更タイミングが安定する。
［発明７］
リーチパターンの出現回数または図柄の変動回数の判定値は確率的に大当りが発生する程度の値に設定されていることを特徴とする発明５または６に記載の遊技機。この発明７によれば、リーチパターンの出現回数または図柄の変動回数が大当りの発生回数程度になったところで信頼度が低いリーチパターンの出現率を低下させることができる。このため、確率的に大当りが発生する気分になっているとこで信頼度が低いリーチパターンが出現し、遊技者をがっかりさせることが防止される。
［発明８］
リーチパターンの出現回数または図柄の変動回数は大当りが発生することに基づいてクリアされることを特徴とする発明５ないし７のいずれかに記載の遊技機。この発明８によれば、大当りの発生に基づいて遊技者が変わった場合に新たな遊技者にとって遊技の開始を基準にリーチパターンの出現回数または図柄の変動回数がカウントされる。このため、出現回数または変動回数を正確に認識できるので、選択確率の変更タイミングを正確に把握できる。
［発明９］
リーチパターンの出現回数または図柄の変動回数は電源が投入されることに基づいてクリアされることを特徴とする発明５ないし８のいずれかに記載の遊技機。この発明９によれば、バックアップメモリに記録された前日の出現回数または変動回数に本日の出現回数または変動回数が加算されることがなくなる。このため、出現回数または変動回数を正確に認識できるので、選択確率の変更タイミングを正確に把握できる。
［発明１０］
複数のリーチパターンが記録されたテーブルデータを備え、前記選択手段はテーブルデータの中からリーチパターンを選択することを特徴とする発明１ないし９のいずれかに記載の遊技機。この発明１０によれば、リーチパターンがテーブルデータの中から選択される。このため、リーチパターンの選択プログラムが簡単になるので、リーチパターンを高速度で選択できる。
［発明１１］
複数のリーチパターンに対応する複数のフラグを備え、前記選択手段は複数のフラグの設定状態に基づいてリーチパターンを選択することを特徴とする発明１ないし９のいずれかに記載の遊技機。この発明１１によれば、リーチパターンがフラグの設定状態に基づいてプログラム的に選択される。このため、リーチパターンを選択するためのテーブルデータが不要になるので、データ量が少なくなる。
［発明１２］
前記表示制御手段は前記図柄表示装置にリーチパターンの選択確率が変わったことを表示することを特徴とする発明１ないし１１のいずれかに記載の遊技機。この発明１２によれば、リーチパターンの選択確率が変わったことを知ることができる。このため、緩んだ気分が一新され、新鮮な気分で遊技に取組むことができるので、遊技のおもしろさが高まる。
［発明１３］
前記表示制御手段は演出が同一で色彩が異なるリーチパターンを表示することに基づいてリーチパターンの選択確率が変わったことを報知することを特徴とする発明１２に記載の遊技機。この発明１３によれば、例えば「赤色」のリーチパターンで外れが続いている状態で「紫色」のリーチパターンが表示されると、「紫色」のリーチパターンが外れであったとしても色彩の違いが大当りの発生を予感させる。このため、大当りに対する期待度が高まるので、遊技のおもしろさが向上する。
［発明１４］
前記表示制御手段は前記図柄表示装置に表示するキャラクターを変えることに基づいてリーチパターンの選択確率が変わったことを報知することを特徴とする発明１２に記載の遊技機。この発明１４によれば、リーチパターンの視覚的な雰囲気が選択確率の変更前後で大幅に変わる。このため、別個の機種で遊技を行っている気分を味わうことができるので、遊技のおもしろさが高まる。
【０１０３】
【発明の効果】
本発明の遊技機によれば、第１のリーチパターンおよび第２のリーチパターンのそれぞれの選択確率を設定条件に応じて変えたので、第１のリーチパターンおよび第２のリーチパターンのそれぞれが高頻度で出現したり、低頻度で出現するようになる。このため、第１のリーチパターンおよび第２のリーチパターンのそれぞれについてリーチパターンの出現率と信頼度との因果関係が分からなくなるので、リーチパターンに基づいて大当りの予測を行い難くなる。従って、大当りの発生に意外性ができるので、大当りを獲得したときの喜びが高まる。
【図面の簡単な説明】
【図１】本発明の第１実施例を示す図（ａ〜ｃは書類リーチを示す図、ｄは書類リーチの出現回数と大当りとの関係を示す図）
【図２】棍棒リーチを示す図
【図３】傘リーチを示す図
【図４】メイン制御装置の制御内容を示すフローチャート
【図５】表示制御装置の制御内容を示すフローチャート
【図６】（ａ）〜（ｂ）は書類リーチの出現回数が０回から３回であるときのリーチテーブルを示す図、（ｃ）〜（ｅ）は書類リーチの出現回数が４回以上であるときのリーチテーブルを示す図
【図７】電気的構成を示すブロック図
【図８】全体構成を示す前面図
【図９】全体構成を示す後面図
【図１０】本発明の第２実施例を示す図６相当図
【図１１】本発明の第３実施例を示す図（表示制御装置の制御プログラムをテーブル化して示す図）
【図１２】本発明の第４実施例を示す図５相当図
【図１３】本発明の第５実施例を示す図６相当図
【符号の説明】
１３は特別図柄表示装置（図柄表示装置）、２０はメイン制御装置、２３は表示制御装置（サブ制御装置，選択手段，表示制御手段，判定手段）を示す。
【図１】
0004403282.tif 000002
【図２】
0004403282.tif 000003
【図３】
0004403282.tif 000004
【図４】
0004403282.tif 000005
【図５】
0004403282.tif 000006
【図６】
0004403282.tif 000007
【図７】
0004403282.tif 000008
【図８】
0004403282.tif 000009
【図９】
0004403282.tif 000010
【図１０】
0004403282.tif 000011
【図１１】
0004403282.tif 000012
【図１２】
0004403282.tif 000013
【図１３】
0004403282.tif 000014